(57)【要約】【課題】映像データを受け取る側の機器の増減に応じたサーバー側でのコントロールに関わるプログラムの設定変更を不要とし、併せて映像データに対しテレビ放送信号と同じ信号に変換するための映像変換器を別途必要としないことでシステム全体の構築コストのアップを抑制する。【解決手段】ＩＳＤＢ−Ｔ変調器３０ａ，３０ｂ，３０ｃによりサーバー１０からダウンロードされた自己に該当するプレイリスト（１）又は（２）の内容に従っていずれかの映像（音声を含む）ファイル（１），（２），（３）がダウンロードされ、該ダウンロードされた映像（音声を含む）ファイル（１），（２），（３）のいずれかに対し所定の変調が行われることにより、該変調された信号が分配装置４０ａ，４０ｂ，４０ｃを介しディスプレイであるテレビ５０に出力されるようにした。【選択図】図１
2011120048.tif 000002
【特許請求の範囲】
【請求項１】
サイネージ情報をディスプレイを介して提供するデジタルサイネージシステムであって、
複数のプレイリストとこれらのプレイリストの内容に従って再生される所定のデータ形式の複数の映像ファイルを有する前記サイネージ情報とを配信するサーバーと、
ネットワークを介して前記サーバーに接続され、該サーバーからダウンロードした自己に該当する前記プレイリストの内容に従っていずれかの前記映像ファイルをダウンロードし、該ダウンロードした前記映像ファイルに対し所定の変調を行って出力する変調装置と、
該変調装置からの前記変調された信号を前記ディスプレイに分配する分配装置とを備える
ことを特徴とするデジタルサイネージシステム。
【請求項２】
前記プレイリストには、少なくとも、再生すべき前記映像ファイルを示すファイル情報及び該映像ファイルの再生スケジュールを示すスケジュール情報が含まれ、
前記変調装置は、
前記プレイリスト及び前記映像ファイルが記録される記録手段と、
前記プレイリストをダウンロードして前記記録手段に記録し、該プレイリストの前記ファイル情報に該当する前記映像ファイルをダウンロードして前記記録手段に記録し、該プレイリストの前記スケジュール情報に従って、前記記録手段から該当する前記映像ファイルを読み出すコンピュータと、
該コンピュータによって読み出された前記映像ファイルをＩＦ信号に変調する変調回路と、
前記ＩＦ信号をＵＨＦ帯域の周波数に変換するアップコンバータとを有する
ことを特徴とする請求項１に記載のデジタルサイネージシステム。
【請求項３】
前記プレイリストには、最新のバージョンを示すバージョン情報が含まれ、
前記コンピュータは、前記バージョン情報から前記プレイリストの内容の変更の有無を確認し、変更がある場合は前記プレイリストの変更のある前記映像ファイルのみをダウンロードする
ことを特徴とする請求項２に記載のデジタルサイネージシステム。
【請求項４】
前記映像ファイルには、音声データが含まれることを特徴とする請求項１〜３のいずれかに記載のデジタルサイネージシステム。
【発明の詳細な説明】
【技術分野】
【０００１】
本発明は、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）変調器を用い、サイネージ（広告）に関わる情報をテレビ等のディスプレイを介して提供するデジタルサイネージシステムに関するものである。
【背景技術】
【０００２】
デジタルサイネージは、屋外、交通機関、店頭、公共施設等の場所で、サイネージ（広告）に関わる情報（以下、サイネージ情報という）をテレビ等のディスプレイを介し提供する電子屋外広告である。このような電子屋外広告を利用することにより、テレビ等のディスプレイの設置場所での時間帯によって変わるターゲットに向けて適切な広告等のサイネージ情報をタイムリーに発信できるため、その発信情報の価値の高さに注目が集まっている。
【０００３】
ここで、デジタルサイネージシステムの一例として、特許文献１では、テレビ画面にインターネットから配信される映像を割り込ませることで、テレビ放送とは関係なく、番組提供や宣伝広告ができるようにしたインターネット番組提供システムを提案している。
【０００４】
このような、インターネット番組提供システムの概要を、図９の構成図を用いて説明する。同図に示すインターネット番組提供システムは、高解像度（ＨＤ：Ｈｉｇｈ  Ｄｅｆｉｎｉｔｉｏｎ）の映像データを配信するサーバー１と、インターネット等のネットワーク２を介してサーバー１からの映像データを受け取るＦＴＰ（Ｆｉｌｅ  Ｔｒａｎｓｆｅｒ  Ｐｒｏｔｏｃｏｌ）サーバー３を有するパソコン４と、パソコン４からの映像（信号又はアンテナ５からのテレビ放送信号を分配する分配装置６と、分配装置６により分配されるパソコン４からの映像信号又はアンテナ５からのテレビ放送信号をケーブル７ａを介して受け取りその映像信号又はテレビ放送信号に応じた映像を表示するテレビ７とを備えている。
【０００５】
このような構成では、サーバー１から受け取った映像データが、パソコン４内部に設けた映像変換器又は外付けの映像変換器によりテレビ放送信号と同じ信号に変換される。
【０００６】
そして、それぞれのテレビ７にアンテナ５から取り込まれたテレビ放送信号の映像が表示されているとき、サーバー１からの指令に応じて、テレビ放送信号の映像がサーバー１からの映像に自動的に切り替えられることにより、指定した時間に各テレビ７の画面に企業の宣伝広告等の映像がケーブル７ａを介して配信されるようになっている。
【先行技術文献】
【特許文献】
【０００７】
【特許文献１】特開２００７−１７４６１１号公報
【発明の概要】
【発明が解決しようとする課題】
【０００８】
ところが、上述した特許文献１のシステムでは、テレビ７に表示されるテレビ放送信号の映像をサーバー１からの映像に自動的に切り替えるために、サーバー１から各パソコン４に指令を出す必要があり、サーバー１側が各々のパソコン４に対してコントロールする必要があることから、パソコン４の台数の増減に応じてサーバー１側でのコントロールに関わるプログラムの設定変更が必要となるという問題があった。
【０００９】
また、上述した特許文献１のシステムでは、サーバー１から配信される映像データに対しテレビ放送信号と同じ信号に変換するための映像変換器を、パソコン４の内部に別途用意しておくかあるいは外付けユニットとして別途用意する必要があるため、システム全体の構築コストがアップしてしまうという問題もあった。
【００１０】
本発明は、このような状況に鑑みてなされたものであり、映像データを受け取る側の機器の増減に応じたサーバー側でのコントロールに関わるプログラムの設定変更を不要とし、併せて映像データに対しテレビ放送信号と同じ信号に変換するための映像変換器を別途必要としないことでシステム全体の構築コストのアップを抑制することができるデジタルサイネージシステムを提供することを目的とする。
【課題を解決するための手段】
【００１１】
本発明のデジタルサイネージシステムは、サイネージ情報をディスプレイを介して提供するデジタルサイネージシステムであって、複数のプレイリストとこれらのプレイリストの内容に従って再生される所定のデータ形式の複数の映像ファイルを有する前記サイネージ情報とを配信するサーバーと、ネットワークを介して前記サーバーに接続され、該サーバーからダウンロードした自己に該当する前記プレイリストの内容に従っていずれかの前記映像ファイルをダウンロードし、該ダウンロードした前記映像ファイルに対し所定の変調を行って出力する変調装置と、該変調装置からの前記変調された信号を前記ディスプレイに分配する分配装置とを備えることを特徴とする。
また、前記プレイリストには、少なくとも、再生すべき前記映像ファイルを示すファイル情報及び該映像ファイルの再生スケジュールを示すスケジュール情報が含まれ、前記変調装置は、前記プレイリスト及び前記映像ファイルが記録される記録手段と、前記プレイリストをダウンロードして前記記録手段に記録し、該プレイリストの前記ファイル情報に該当する前記映像ファイルをダウンロードして前記記録手段に記録し、該プレイリストの前記スケジュール情報に従って、前記記録手段から該当する前記映像ファイルを読み出すコンピュータと、該コンピュータによって読み出された前記映像ファイルをＩＦ信号に変調する変調回路と、前記ＩＦ信号をＵＨＦ帯域の周波数に変換するアップコンバータとを有するようにすることができる。
また、前記プレイリストには、最新のバージョンを示すバージョン情報が含まれ、前記コンピュータは、前記バージョン情報から前記プレイリストの内容の変更の有無を確認し、変更がある場合は前記プレイリストの変更のある前記映像ファイルのみをダウンロードするようにすることができる。
また、前記映像ファイルには、音声データが含まれるようにすることができる。
本発明のデジタルサイネージシステムでは、変調装置によりサーバーからダウンロードされた自己に該当するプレイリストの内容に従っていずれかの映像ファイルがダウンロードされ、該ダウンロードされた映像ファイルに対し所定の変調が行われることにより、該変調された信号が分配装置を介しディスプレイに出力されることから、変調装置側がサーバー側からのコントロールを受けることなく自ら自己に該当する映像ファイルをダウンロードして再生することができ、さらに映像ファイルがそのまま所定の変調がかけられて出力されるようにすることができる。
【発明の効果】
【００１２】
本発明のデジタルサイネージシステムによれば、変調装置側がサーバー側からのコントロールを受けることなく自ら自己に該当する映像ファイルをダウンロードして再生することができ、さらに映像ファイルがそのまま所定の変調がかけられて出力されるようにしたので、映像データを受け取る側の機器の増減に応じたサーバー側でのコントロールに関わるプログラムの設定変更を不要とし、併せて映像データに対しテレビ放送信号と同じ信号に変換するための映像変換器を別途必要としないことでシステム全体の構築コストのアップを抑制することができる。
【図面の簡単な説明】
【００１３】
【図１】本発明の一実施形態に係るデジタルサイネージシステムの構成を示す図である。
【図２】図１のＩＳＤＢ−Ｔ変調器によるサーバーからのデータのダウンロードを説明するための図である。
【図３】図１及び図２のＩＳＤＢ−Ｔ変調器の構成を説明するための図である。
【図４】図１及び図２のＩＳＤＢ−Ｔ変調器による映像出力のサイクルを説明するための図である。
【図５】図１のデジタルサイネージシステムの動作を説明するためのフローチャートである。
【図６】図１のデジタルサイネージシステムの動作を説明するためのフローチャートである。
【図７】図１のデジタルサイネージシステムの構成を変えた場合の他の実施形態を示す図である。
【図８】図１のデジタルサイネージシステムの構成を変えた場合のさらに他の実施形態を示す図である。
【図９】従来のデジタルサイネージシステムの一例を示す図である。
【発明を実施するための形態】
【００１４】
以下、本発明の実施形態の詳細について説明する。図１は本発明の一実施形態に係るデジタルサイネージシステムの全体構成を示し、図２は図１のＩＳＤＢ−Ｔ変調器によるサーバーからのデータのダウンロードについて示し、図３は図１及び図２のＩＳＤＢ−Ｔ変調器の構成を示し、図４は図１及び図２のＩＳＤＢ−Ｔ変調器による映像出力のサイクルについて示し、図５及び図６は図１のデジタルサイネージシステムの動作について示すものである。
【００１５】
まず、図１に示すデジタルサイネージシステムは、サーバー１０と、インターネット等のネットワーク２０を介してサーバー１０に接続されるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）変調器３０ａ，３０ｂ，３０ｃと、ケーブル５１を介しそれぞれのテレビ５０にＩＳＤＢ−Ｔ変調器３０ａ，３０ｂ，３０ｃからの映像信号を分配する分配装置４０ａ，４０ｂ，４０ｃとを備えている。
【００１６】
サーバー１０は、ＩＳＤＢ−Ｔ変調器３０ａ，３０ｂ，３０ｃからのアクセスに応じてサイネージ（広告）に関わる情報（以下、サイネージ情報という）を出力するものであり、たとえば図２に示すように、プレイリスト（１），（２）と映像（音声を含む）ファイル（１），（２），（３）とを有している。なお、映像ファイルには、音声データが含まれていてもよいし含まれていなくてもよいが、以下では、音声データが含まれているものとする。これらの映像（音声を含む）ファイル（１），（２），（３）は、データ形式である、たとえばＴＳ（Ｔｒａｎｓｐｏｒｔ  Ｓｔｒｅａｍ）ファイル形式となっている。
【００１７】
ＩＳＤＢ−Ｔ変調器３０ａ，３０ｂ，３０ｃは、後述のように、定期的にサーバー１０にアクセスし、自己のプレイリスト（１）又は（２）をダウンロードし、その自己のプレイリスト（１）又は（２）の内容に変更があるかどうかを確認し、変更がある場合はそのダウンロードした自己のプレイリスト（１）又は（２）の内容に応じて変更のある映像（音声を含む）ファイル（１），（２），（３）のいずれかのみをダウンロードするものである。
【００１８】
ここで、プレイリスト（１），（２）には、最新のバージョンを示すバージョン情報、再生すべき映像（音声を含む）ファイル（１），（２），（３）を示すファイル情報、映像（音声を含む）ファイル（１），（２），（３）の再生スケジュールを示すスケジュール情報、日付、時間、曜日によって（再生する／再生しない）といった制御に関わるコントロール情報、ファイルサイズや正常なファイルかどうかを検査するためのＣＲＣ（Ｃｙｃｌｉｃ  Ｒｅｄｕｎｄａｎｃｙ  Ｃｈｅｃｋ）等の検査情報等が含まれている。
【００１９】
また、プレイリスト（１）とプレイリスト（２）とは、それぞれ内容が異なるものである。これは、テレビ５０の設置場所での時間帯によって変わるターゲットに向けて適切な広告等のサイネージ情報をタイムリーに発信できるようにするためである。なお、ここでは、プレイリスト（１），（２）を２つとした場合としているが、テレビ５０の設置場所等に応じてＩＳＤＢ−Ｔ変調器３０ａ，３０ｂ，３０ｃの数が増えることに従い、そのプレイリスト（１），（２）の数を増やしてもよいことは勿論である。
【００２０】
この場合、図２のように、たとえばＩＳＤＢ−Ｔ変調器３０ａ，３０ｂ，３０ｃが３個用意されているとすると、たとえばプレイリスト（１）はＩＳＤＢ−Ｔ変調器３０ａ，３０ｂに対応し、プレイリスト（２）はＩＳＤＢ−Ｔ変調器３０ｃに対応するように、それぞれのＩＳＤＢ−Ｔ変調器３０ａ，３０ｂ，３０ｃ側で予め設定されている。つまり、ＩＳＤＢ−Ｔ変調器３０ａ，３０ｂはたとえばプレイリスト（１）のみをダウンロードし、ＩＳＤＢ−Ｔ変調器３０ｃはプレイリスト（２）のみをダウンロードするように設定されている。このような設定は、ＩＳＤＢ−Ｔ変調器３０ａ，３０ｂ，３０ｃの後述のコンピュータ３１にアクセスできる他のパソコン等で行うことができる。
【００２１】
これにより、ＩＳＤＢ−Ｔ変調器３０ａ，３０ｂ，３０ｃは、まずサーバー１０にアクセスして自己に対応するプレイリスト（１）又は（２）をダウンロードし、そのプレイリスト（１）又は（２）の内容に応じたいずれかの映像（音声を含む）ファイル（１），（２），（３）をダウンロードすることができるようになっている。
【００２２】
具体的には、プレイリスト（１）に映像（音声を含む）ファイル（１），（２）を示すファイル情報が含まれ、プレイリスト（２）に映像（音声を含む）ファイル（２），（３）を示すファイル情報が含まれているとすると、ＩＳＤＢ−Ｔ変調器３０ａ，３０ｂは映像（音声を含む）ファイル（１），（２）をダウンロードし、ＩＳＤＢ−Ｔ変調器３０ｃは映像（音声を含む）ファイル（２），（３）をダウンロードすることになる。
【００２３】
以降、ＩＳＤＢ−Ｔ変調器３０ａ，３０ｂ，３０ｃは定期的にサーバー１０にアクセスし、自己のプレイリスト（１）又は（２）をダウンロードし、そのプレイリスト（１）又は（２）の内容に変更があるかどうかを確認し、変更がある場合はそのダウンロードしたプレイリスト（１）又は（２）の内容に応じて変更のある映像（音声を含む）ファイル（１），（２），（３）のみをダウンロードすることになる。
【００２４】
なお、プレイリスト（１），（２）の内容に変更があるかどうかの確認は、既にダウンロードしているプレイリスト（１），（２）に含まれているバージョン情報と、新たにダウンロードしたプレイリスト（１），（２）に含まれているバージョン情報との比較によって行うようになっている。
【００２５】
ここで、プレイリスト（１），（２）の内容に変更が無い場合は、たとえば新たにダウンロードしたプレイリスト（１），（２）を破棄（消去）する。この場合、新たにダウンロードしたプレイリスト（１），（２）を残し、既にダウンロードしているプレイリスト（１），（２）を破棄（消去）するようにしてもよい。
【００２６】
また、プレイリスト（１），（２）の内容に変更が有る場合は、新たにダウンロードしたプレイリスト（１），（２）と、このプレイリスト（１），（２）の内容の中で変更のあったいずれかの映像（音声を含む）ファイル（１），（２），（３）をダウンロードしたものとがそろった時点で、旧プレイリスト（１），（２）と、既にダウンロード済みで新たにダウンロードしたプレイリスト（１），（２）に該当しない映像（音声を含む）ファイル（１），（２），（３）のいずれかとを破棄（消去）するようになっている。
【００２７】
なお、ＩＳＤＢ−Ｔ変調器３０ａ，３０ｂ，３０ｃ側では、常に最新のプレイリスト（１），（２）の上述したスケジュール情報等に基づき、ダウンロード済みの映像（音声を含む）ファイル（１），（２），（３）を読み出すことで、各テレビ５０にそのプレイリスト（１），（２）に従った映像（音声を含む）が再生されることになるが、これについての詳細は後述する。
【００２８】
また、ＩＳＤＢ−Ｔ変調器３０ａ，３０ｂ，３０ｃ側では、上述したＣＲＣ等の検査情報を参照し、ダウンロード失敗時にはもう一度サーバー１０にアクセスして映像（音声を含む）ファイル（１），（２），（３）をダウンロードしたりすることができるようになっている。それでも、ダウンロード失敗になってしまう場合は、その映像（音声を含む）ファイル（１），（２），（３）を再生しないなどのコントロールが可能となる。
【００２９】
よって、サーバー１０側での処理は、登録するプレイリスト（１），（２）や映像（音声を含む）ファイル（１），（２），（３）の内容の変更を行うだけであり、ＩＳＤＢ−Ｔ変調器３０ａ，３０ｂ，３０ｃ側は自己のものに対応するプレイリスト（１），（２）の内容に従って変更された映像（音声を含む）ファイル（１），（２），（３）を自らダウンロードする方式となる。これにより、サーバー１０側ではＩＳＤＢ−Ｔ変調器３０ａ，３０ｂ，３０ｃ側をコントロールするといった処理が不要となることから、ＩＳＤＢ−Ｔ変調器３０ａ，３０ｂ，３０ｃに増減が生じても、サーバー１０側でのプログラムの設定変更等の処理が不要となる。
【００３０】
ここで、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）は、日本国内の地上デジタル放送で使用されている放送方式である。従来のアナログ地上波テレビ放送ではＮＴＳＣと呼ばれる方式を使って画像と音声をアナログデータとして送信していたのに対し、ＩＳＤＢ−Ｔでは画像と音声をデジタルデータとして送信することができるものである。
【００３１】
ＩＳＤＢ−Ｔでは周波数帯域としてＵＨＦ帯を利用し、一つの放送局用のチャンネルあたりおよそ５．６ＭＨｚの幅が割り当てられている。このチャンネルをさらにおよそ４２９ＫＨｚ分の幅ずつ１３個のセグメントと呼ばれる単位に分割し、複数の違った画質の動画データや、動画・音声以外のデータ等を１つのチャンネルに多重化して同時に送信できるのが大きな特徴である。また、１３セグメントを最大３つの階層（Ａ階層、Ｂ階層、Ｃ階層）に割り当てることが可能で、階層毎に別の変調方式を指定することができる。
【００３２】
また、１３個のセグメントのうち、１つはモバイル端末用に使用可能であり、この１セグメントを使って携帯電話向けに低画質の放送を行うのが１セグメント放送（ワンセグ）である。ＩＳＤＢ−Ｔでは、多重化方式としてＯＦＤＭを用いており、変調方式としては１６ＱＡＭ、６４ＱＡＭ、ＱＰＳＫ、ＤＱＰＳＫ等を利用している。映像や音声の圧縮方式としては、ハイビジョンではＭＰＥＧ−２、ワンセグではＨ．２６４を用いている。
【００３３】
また、上述のＩＳＤＢ−Ｔ変調器３０ａ，３０ｂ，３０ｃは、図３に示すように、コンピュータ３１、ＨＤＤ（Ｈａｒｄ  Ｄｉｓｋ  Ｄｒｉｖｅ）３２、ＩＳＤＢ−Ｔ変調回路３３、アップコンバータ３４を備えている。
【００３４】
コンピュータ３１は、上述したように、まずサーバー１０にアクセスして自己に対応するプレイリスト（１）又は（２）をダウンロードし、（ｂ）で示すようにＨＤＤ３２に記録し、さらにその自己のプレイリスト（１）又は（２）の内容に応じたＴＳファイル形式の映像（音声を含む）ファイル（１），（２），（３）のいずれかを（ａ）で示すようにＬＡＮ経由でダウンロードし、（ｂ）で示すようにＨＤＤ３２に記録するといった処理を行う。
【００３５】
ここで、コンピュータ３１には、サーバー１０のＩＰアドレス又はドメインアドレス（例：ＩＰアドレス  ３３３．２２２．１．１  又は  ドメインアドレス  ａａａ．ｃｏ．ｊｐ）が設定済みである。また、自己のプレイリスト（１）又は（２）の内容に変更があるかどうかの確認のために、サーバー１０に定期的にアクセスする際のアクセスサイクルもコンピュータ３１に予め設定されている。なお、サーバー１０へのアクセスは、ＩＳＤＢ−Ｔ変調器３０ａ，３０ｂ，３０ｃの電源ＯＮに行うとした設定も追加可能である。
【００３６】
これらのコンピュータ３１に対する設定は、ＩＳＤＢ−Ｔ変調器３０ａ，３０ｂ，３０ｃにマウス、キーボード、モニタを接続して行うか、コンピュータ３１にアクセスできる他のパソコンで行うことができる。
【００３７】
また、コンピュータ３１は、定期的にサーバー１０にアクセスし、自己のプレイリスト（１）又は（２）を（ａ）で示すようにＬＡＮ経由でダウンロードしてＨＤＤ３２に記録し、その自己のプレイリスト（１）又は（２）の内容に変更があるかどうかを確認し、変更がある場合はそのダウンロードした自己のプレイリスト（１）又は（２）に応じて変更のあるＴＳファイル形式の映像（音声を含む）ファイル（１），（２），（３）のみをダウンロードするとした処理も行う。
【００３８】
なお、自己のプレイリスト（１）又は（２）の内容に変更があるかどうかの確認は、上述したように、新たにダウンロードした自己のプレイリスト（１）又は（２）に含まれるバージョン情報と、既にＨＤＤ３２に記録されている自己のプレイリスト（１）又は（２）に含まれるバージョン情報との比較によって行うことができる。
【００３９】
ここで、自己のプレイリスト（１）又は（２）の内容に変更が無い場合は、上述したように、たとえば新たにダウンロードした自己のプレイリスト（１）又は（２）をＨＤＤ３２から破棄（消去）する。この場合、新たにダウンロードした自己のプレイリスト（１）又は（２）を残し、既にダウンロードしている自己のプレイリスト（１）又は（２）をＨＤＤ３２から破棄（消去）するようにしてもよい。
【００４０】
一方、自己のプレイリスト（１）又は（２）の内容に変更があれば、上述したように、新たにダウンロードした自己のプレイリスト（１）又は（２）と、この自己のプレイリスト（１）又は（２）の内容の中で変更のあったいずれかの映像（音声を含む）ファイル（１），（２），（３）をダウンロードしたものとがそろった時点で、自己の旧プレイリスト（１）又は（２）と、既にダウンロード済みで新たにダウンロードした自己のプレイリスト（１）又は（２）の内容に該当しない映像（音声を含む）ファイル（１），（２），（３）のいずれかとをＨＤＤ３２から破棄（消去）する。
【００４１】
また、自己の新たなプレイリスト（１）又は（２）の内容に応じて変更のあるいずれかの映像（音声を含む）ファイル（１），（２），（３）のみをダウンロードした場合は、そのダウンロードした変更のあるいずれかの映像（音声を含む）ファイル（１），（２），（３）を（ｂ）で示すようにＨＤＤ３２に記録し、既に記録されていて新たな自己のプレイリスト（１）又は（２）の内容に該当しないいずれかの映像（音声を含む）ファイル（１），（２），（３）についてはＨＤＤ３２から破棄（消去）する。
【００４２】
ここで、プレイリスト（１），（２）には、上述したように、ファイルサイズや正常なファイルかどうかを識別するためのＣＲＣ等の検査情報が記録されているため、そのＣＲＣ等の検査情報を参照し、ダウンロード失敗時にはもう一度サーバー１０にアクセスしていずれかの映像（音声を含む）ファイル（１），（２），（３）をダウンロードしたりすることができる。
【００４３】
また、プレイリスト（１），（２）には、上述したように、日付、時間、曜日によって（再生する／再生しない）といったコントロール情報が含まれているため、そのコントロールの情報を参照し、該当するＴＳファイル形式のいずれかの映像（音声を含む）ファイル（１），（２），（３）を（ｃ）で示すようにＨＤＤ３２から読み出し、（ｄ）で示すように、そのＴＳファイル形式のいずれかの映像（音声を含む）ファイル（１），（２），（３）をＩＳＤＢ−Ｔ変調回路３３に与える。
【００４４】
なお、コンピュータ３１によるサーバー１０からの自己のプレイリスト（１）又は（２）やいずれかの映像（音声を含む）ファイル（１），（２），（３）のダウンロードと、ＨＤＤ３２からのいずれかの映像（音声を含む）ファイル（１），（２），（３）の読み出し、すなわちいずれかの映像（音声を含む）ファイル（１），（２），（３）の再生処理は、別プロセスにて動作するようになっている。
【００４５】
また、サイネージ情報である映像（音声を含む）ファイル（１），（２），（３）は個々の再生時間が短く、プレイリスト（１），（２）のスケジュール情報に従っての繰り返し再生が行われることが多い。
【００４６】
すなわち、プレイリスト（１），（２）のスケジュール情報としては、たとえば図４に示すように、ファイルＡ，Ｃの再生時間は１分、ファイルＢの再生時間は２分、ファイルＤの再生時間は３分とし、４つのファイルの合計が１サイクルで１４分となるようなループとすることができる。このようなプレイリスト（１），（２）のスケジュール情報は、サーバー１０側で設定される。
【００４７】
よって、コンピュータ３１は、１サイクルで１４分となるようなループとされているスケジュール情報であっても、ＡＢＣＤの合計７分のファイルだけをダウンロードすればよいことになる。また、自己の新たなプレイリスト（１）又は（２）の内容に変更がある場合であって、たとえばファイルＡ，Ｃのみが他のファイルＡ，Ｃに変更されているとき、ＡＢＣＤの合計７分のファイルの全てをダウンロードするのではなく、その変更された他のファイルＡ，Ｃの合計２分のファイルだけをダウンロードすればよいことになる。
【００４８】
このように、コンピュータ３１による再生時にあっては、必要なファイルだけをダウンロードしてＨＤＤ３２に記録し、必要なファイルだけを読み出すようにすればよいことになる。そのため、ループによって放送時間が長く、かつ高解像度（ＨＤ：Ｈｉｇｈ  Ｄｅｆｉｎｉｔｉｏｎ）の映像（音声を含む）を再生する場合であっても、ＨＤＤ３２に必要なファイルが記録された後に再生されることになることから、高解像度の映像（音声を含む）として必要なデータは少なくてよいことになる。
【００４９】
そのため、一般的な回線契約のように帯域制限がかかっている場合、一定量のデータをまとめて転送するアップロード形式ではデータ転送の通信速度が低下してしまうことがあるが、本実施形態のようにダウンロード形式にし、変更のある映像（音声を含む）ファイル（１），（２），（３）のいずれかのみをダウンロードするようにすることで、データ転送の通信速度の低下を避けることが可能となる。しかも、無線ＬＡＮやＦＯＭＡ等の携帯回線で回線速度が遅いネットワーク２０でも利用可能となる。
【００５０】
また、図３において、ＩＳＤＢ−Ｔ変調回路３３は、そのＴＳファイル形式の映像（音声を含む）ファイル（１），（２），（３）をＯＦＤＭ方式で中間周波数のＩＦ信号に変調し、（ｅ）で示すようにアップコンバータ３４に与える。
【００５１】
アップコンバータ３４は、そのＩＦ信号を地上デジタル放送と同じＵＨＦ帯域の周波数（ＲＦ信号）に変換し、（ｆ）で示すように出力する。
【００５２】
ここで、アップコンバータ３４からのＲＦ信号は図１に示した分配装置４０ａ，４０ｂ，４０ｃに出力されることになるが、ＲＦ信号の分配は高価なＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等を必要としないため、比較的安価な分配装置４０ａ，４０ｂ，４０ｃを用いての分配が可能となる。
【００５３】
しかも、分配装置４０ａ，４０ｂ，４０ｃによって分配されたＲＦ信号のレベルが一定以上あれば映像の劣化が発生しないため、分配装置４０ａ，４０ｂ，４０ｃに多くのテレビ５０を接続してＲＦ信号をそれぞれのテレビ５０に分配しても、全てのテレビ５０により同じクオリティの映像を表示させることが可能となる。
【００５４】
次に、図５及び図６のフローチャートを参照し、デジタルサイネージシステムの動作について説明する。ここで、図５は図３に示したＩＳＤＢ−Ｔ変調器３０ａ，３０ｂ，３０ｃのコンピュータ３１によるサーバー１０からの自己のプレイリスト（１）又は（２）やいずれかの映像（音声を含む）ファイル（１），（２），（３）のダウンロード処理を示し、図６は図３に示したＩＳＤＢ−Ｔ変調器３０ａ，３０ｂ，３０ｃのコンピュータ３１による自己のプレイリスト（１）又は（２）のスケジュール情報に従っての再生処理を示している。
【００５５】
なお、以下の説明においては、図３に示したコンピュータ３１に、サーバー１０のＩＰアドレスと、サーバー１０への定期的なアクセスのためのアクセスサイクル（例：毎日、常に００時００分にアクセスする）とが予め設定されているものとする。また、図３に示したＨＤＤ３２には、既に自己のプレイリスト（１）又は（２）と、そのプレイリスト（１）又は（２）の内容に応じたいずれかの映像（音声を含む）ファイル（１），（２），（３）とが記録されているものとする。
【００５６】
まず、図５において、コンピュータ３１によるダウンロード処理について説明すると、コンピュータ３１により、予め設定されているサーバー１０への定期的なアクセスのためのアクセスサイクルに達したかどうかが判断される（ステップＳ１）。
【００５７】
アクセスサイクルに達しない場合は（ステップＳ１：ＮＯ）、アクセスサイクルに達するまで待ち、アクセスサイクルに達したと判断すると（ステップＳ１：ＹＥＳ）、既に設定されているサーバー１０のＩＰアドレスに基づき、自己に該当するプレイリスト（１）又は（２）をダウンロードし（ステップＳ２）、そのダウンロードしたプレイリスト（１）又は（２）をＨＤＤ３２に記録する（ステップＳ３）。
【００５８】
ここで、プレイリスト（１）又は（２）の内容に変更があるかどうかの確認が行われる（ステップＳ４）。この場合、上述したように、既にダウンロードしてＨＤＤ３２に記録されているプレイリスト（１）又は（２）に含まれているバージョン情報と、新たにダウンロードしたプレイリスト（１）又は（２）に含まれているバージョン情報との比較により、変更の有無が確認される。
【００５９】
プレイリスト（１）又は（２）の内容に変更が無ければ（ステップＳ４：ＮＯ）、新たにダウンロードしてＨＤＤ３２に記録したプレイリスト（１）又は（２）がＨＤＤ３２から破棄（消去）される（ステップＳ５）。この場合、上述したように、新たにダウンロードしたプレイリスト（１）又は（２）を残し、既にダウンロードしているプレイリスト（１）又は（２）を破棄（消去）するようにしてもよい。
【００６０】
これに対し、自己のプレイリスト（１）又は（２）の内容に変更があれば（ステップＳ４：ＹＥＳ）、上述したように、新たにダウンロードした自己のプレイリスト（１）又は（２）の内容の中で変更のあったいずれかの映像（音声を含む）ファイル（１），（２），（３）をダウンロードする（ステップＳ６）。ここで、新たにダウンロードした自己のプレイリスト（１）又は（２）の内容の中での変更内容の確認は、新たにダウンロードした自己のプレイリスト（１）又は（２）と既にダウンロードしてある自己の旧プレイリスト（１），（２）との比較によって行うことができる。
【００６１】
また、変更のあったいずれかの映像（音声を含む）ファイル（１），（２），（３）をダウンロードする際、上述した自己のプレイリスト（１）又は（２）に含まれるＣＲＣ等の検査情報が参照され、ダウンロード失敗時には再度サーバー１０にアクセスして変更のあったいずれかの映像（音声を含む）ファイル（１），（２），（３）がダウンロードされる。
【００６２】
そして、新たにダウンロードした自己のプレイリスト（１）又は（２）と、変更のあったいずれかの映像（音声を含む）ファイル（１），（２），（３）をダウンロードしたものとがそろった時点で、自己の旧プレイリスト（１）又は（２）と、既にダウンロード済みで新たにダウンロードした自己のプレイリスト（１）又は（２）に該当しない映像（音声を含む）ファイル（１），（２），（３）のいずれかとがＨＤＤ３２から破棄（消去）される（ステップＳ７）。
【００６３】
以降、コンピュータ３１は、ステップＳ１〜Ｓ７の手順に従い、サーバー１０にアクセスし、自己のプレイリスト（１）又は（２）をダウンロードし、そのプレイリスト（１）又は（２）の内容に変更があるかどうかを確認し、変更がある場合はそのダウンロードしたプレイリスト（１）又は（２）の内容に応じて変更のある映像（音声を含む）ファイル（１），（２），（３）のみをダウンロードするといった処理を繰り返すことになる。
【００６４】
次に、自己のプレイリスト（１）又は（２）のスケジュールに従っての再生処理について説明する。
【００６５】
まず、図６に示すように、コンピュータ３１により、ＨＤＤ３２に記録されている自己のプレイリスト（１）又は（２）が読み出される（ステップＳ１０）。次いで、読み出したプレイリスト（１）又は（２）の内容に含まれている再生すべき映像（音声を含む）ファイル（１），（２），（３）のいずれかを示すファイル情報に基づき、該当するいずれかの映像（音声を含む）ファイル（１），（２），（３）がＨＤＤ３２から読み出されてＩＳＤＢ−Ｔ変調回路３３に与えられる（ステップＳ１１）。
【００６６】
ここで、コンピュータ３１によるＨＤＤ３２からの該当するいずれかの映像（音声を含む）ファイル（１），（２），（３）の読み出しは、プレイリスト（１）又は（２）の内容に含まれているいずれかの映像（音声を含む）ファイル（１），（２），（３）の再生スケジュールを示すスケジュール情報と、日付、時間、曜日によって（再生する／再生しない）といったコントロール情報とに基づいて行われる。
【００６７】
次いで、ＩＳＤＢ−Ｔ変調回路３３により、コンピュータ３１から受け取った映像（音声を含む）ファイル（１），（２），（３）のいずれかが中間周波数のＩＦ信号に変調され（ステップＳ１２）、アップコンバータ３４に与えられると、このアップコンバータ３４により、そのＩＦ信号が地上デジタル放送と同じＵＨＦ帯域の周波数（ＲＦ信号）に変換される（ステップＳ１３）。
【００６８】
アップコンバータ３４によって変換されたＲＦ信号は、図１の分配装置４０ａ，４０ｂ，４０ｃによって各テレビ５０に分配され、それぞれのテレビ５０によってプレイリスト（１）又は（２）に従った映像（音声を含む）ファイル（１），（２），（３）の繰り返し映像が出力される。
【００６９】
このように、本実施形態では、ＩＳＤＢ−Ｔ変調器３０ａ，３０ｂ，３０ｃによりサーバー１０からダウンロードされた自己に該当するプレイリスト（１）又は（２）の内容に従っていずれかの映像（音声を含む）ファイル（１），（２），（３）がダウンロードされ、該ダウンロードされた映像（音声を含む）ファイル（１），（２），（３）のいずれかに対し所定の変調が行われることにより、該変調された信号が分配装置４０ａ，４０ｂ，４０ｃを介しディスプレイであるテレビ５０に出力されるようにした。
【００７０】
これにより、ＩＳＤＢ−Ｔ変調器３０ａ，３０ｂ，３０ｃ側がサーバー１０側からのコントロールを受けることなく自ら自己に該当する映像（音声を含む）ファイル（１），（２），（３）のいずれかをダウンロードして再生することができ、さらに映像（音声を含む）ファイル（１），（２），（３）のいずれかがそのまま所定の変調がかけられて出力されることから、映像データを受け取る側の機器であるＩＳＤＢ−Ｔ変調器３０ａ，３０ｂ，３０ｃの増減に応じたサーバー１０側でのコントロールに関わるプログラムの設定変更を不要とし、併せて映像データに対しテレビ放送信号と同じ信号に変換するための映像変換器を別途必要としないことでシステム全体の構築コストのアップを抑制することができる。
【００７１】
また、プレイリスト（１）又は（２）のバージョン情報からプレイリスト（１）又は（２）の内容の変更の有無を確認でき、変更がある場合は変更のある映像（音声を含む）ファイル（１），（２），（３）のいずれかのみがダウンロードされるので、一般的な回線契約のように帯域制限がかかっている場合であっても、データ転送の通信速度の低下を避けることが可能となる。
【００７２】
なお、本実施形態では、ＩＳＤＢ−Ｔ変調器３０ａ，３０ｂ，３０ｃからの信号を分配装置４０ａ，４０ｂ，４０ｃによって分配し、ケーブル５１を介してそれぞれのテレビ５０に出力するようにした場合について説明したが、この例に限らず、図７に示すように、ＩＳＤＢ−Ｔ変調器３０ａ，３０ｂ，３０ｃからの信号をアンテナを介して出力するようにしてもよい。
【００７３】
すなわち、図７は、たとえばＩＳＤＢ−Ｔ変調器３０ｃからの信号をアンテナ４１を介して出力する場合を示している。ここで、ＩＳＤＢ−Ｔ変調器３０ｃからの信号は、地上デジタル放送と同じＵＨＦ帯域の周波数（ＲＦ信号）に変換されるため、テレビ５２は受信のためのアンテナ５２ａを介して信号を受信でき、ワンセグ放送を受信できる携帯端末５３は内蔵アンテナを介して信号を受信できることになる。
【００７４】
この場合、アンテナ４１から出力される信号は電波法の規制に基づいた微弱電波とすることは当然である。このような微弱電波とすることで、所定のエリアに設置されたテレビ５２や所定のエリアに存在する携帯端末５３により信号受信が可能となり、上述したように、その所定のエリアでの時間帯によって変わるターゲットに向けて適切な広告等のサイネージ情報をタイムリーに発信することが可能となる。
【００７５】
なお、図７では、ＩＳＤＢ−Ｔ変調器３０ｃからの信号をアンテナ４１を介して出力する場合としているが、ＩＳＤＢ−Ｔ変調器３０ａ，３０ｂからの信号をアンテナ４１を介して出力し、それぞれのテレビ５０で受信できるようにしてもよいことは勿論である。
【００７６】
このように、たとえばＩＳＤＢ−Ｔ変調器３０ｃからの信号をアンテナ４１を介して出力するようにすることで、ケーブル５１による配線が不要となるばかりか、テレビ５２の設置場所を自由に決めることができる。
【００７７】
しかも、受信のためのアンテナ５２ａを有するテレビ５２を用意すればよいため、テレビ５２の設置台数の制約を受けることが無くなる。また、ワンセグ放送を受信できる携帯端末５３を有するユーザは、アンテナ４１からの電波を受信できる所定のエリアに入り込むことで、広告等のサイネージ情報をタイムリーに受信することができる。
【００７８】
また、本実施形態では、ＩＳＤＢ−Ｔ変調器３０ａ，３０ｂ，３０ｃからの信号を分配装置４０ａ，４０ｂ，４０ｃによって分配し、ケーブル５１を介してそれぞれのテレビ５０に出力するようにした場合について説明したが、この例に限らず、図８に示すような共聴システムにも適用することができる。
【００７９】
すなわち、図８（ａ）の示すような一般的な共聴システムでは、アンテナ６０で受信した放送信号が分配装置６１によって分配され、さらに分配器６２によってそれぞれのテレビ（ＴＶ）６３に分配されるようになっている。
【００８０】
そこで、図８（ｂ）に示すように、アンテナ６０と分配装置６１との間にＩＳＤＢ−Ｔ変調器７０と合成器７１とを介在させるようにする。ここで、ＩＳＤＢ−Ｔ変調器７０からの出力はＲＦ信号であるため、アンテナ６０からのテレビ放送信号との合成が可能となる。これにより、アンテナ６０で受信したテレビ放送信号とＩＳＤＢ−Ｔ変調器７０の変調出力が合成器７１によって合成されると、分配装置６１によって分配され、さらに分配器６２によってそれぞれのテレビ（ＴＶ）６３に分配される。
【００８１】
この場合、ＩＳＤＢ−Ｔ変調器７０の変調出力を、テレビ（ＴＶ）６３で受信している民放局のチャンネル周波数とは異なるようにすることで、それぞれのテレビ（ＴＶ）６３によりサイネージの映像の視聴が可能となる。
【産業上の利用可能性】
【００８２】
サイネージに限らず、病院やマンション等のビル内の案内表示を行うシステムにも適用可能である。また、ＩＳＤＢ−Ｔ変調器をエリアワンセグ放送の送信機としたシステムにも適用可能である。
【符号の説明】
【００８３】
１０  サーバー
２０  ネットワーク
３０ａ，３０ｂ，３０ｃ，７０  ＩＳＤＢ−Ｔ変調器
３１  コンピュータ
３２  ＨＤＤ
３３  ＩＳＤＢ−Ｔ変調回路
３４  アップコンバータ
４０ａ，４０ｂ，４０ｃ，６１  分配装置
４１，５２ａ，６０  アンテナ
５０，５２，６３  テレビ
５１  ケーブル
５３  携帯端末
６２  分配器
７１  合成器
【図１】
2011120048.tif 000003
【図２】
2011120048.tif 000004
【図３】
2011120048.tif 000005
【図４】
2011120048.tif 000006
【図５】
2011120048.tif 000007
【図６】
2011120048.tif 000008
【図７】
2011120048.tif 000009
【図８】
2011120048.tif 000010
【図９】
2011120048.tif 000011